(57)【要約】【課題】防音室に入れる人を限定し、使用予定時間が経過したら退出を促すことができるようにする。【解決手段】防音室１は、筐体１１と扉１２との間に設けられた錠３１と、筐体１１の内部に設けられた電子機器に電力を供給する電源部３２と、錠３１を開く指示を受信したことに応じて錠３１を開くＣＰＵ２１と、警報音を発生する音源を有する警報部３６と、防音室の使用に関する情報を表示させる表示部３５と、を有する。ＣＰＵ２１は、錠３１を開いてから予め設定された使用予定時間が経過したら、警報部３６に警報音を発生させるか、表示部３５に防音室１から退出することを促す情報を表示させる。【選択図】図３
2020204253.tif 000002
【特許請求の範囲】
【請求項１】
ユーザが入ることができる空間を形成する筐体と、前記筐体に結合した扉と、を備える防音室であって、
前記筐体と前記扉との間に設けられた錠と、
前記筐体の内部に設けられた電子機器に電力を供給する電源部と、
前記錠を開く指示を受信したことに応じて前記錠を開く制御部と、
前記防音室を使用するユーザの情報端末が読取可能であり、前記防音室を識別するための防音室識別情報を掲示する情報掲示部と、
警報音を発生する音源を有する警報部及び前記防音室の使用に関する情報を表示させる表示部のうちの少なくとも一方と、を有し、
前記制御部は、前記防音室を管理する管理装置が前記情報端末から前記防音室識別情報を受信したことに応じて送信する前記指示を受信したことに応じて前記錠を開き、予め設定された使用予定時間が経過した状態で、前記警報部に警報音を発生させ、あるいは前記表示部に前記防音室から退出することを促す情報を表示させることを特徴とする防音室。
【請求項２】
前記制御部は、前記錠を開いてから前記使用予定時間が経過した時点で前記錠が閉じている場合に前記錠を開く、
請求項１に記載の防音室。
【請求項３】
前記ユーザによる使用希望時間の入力操作を受け付ける操作受付部と、
予め設定された予約時間を記憶する記憶部と、
をさらに有し、
前記制御部は、前記操作受付部が受け付けた前記使用希望時間が前記予約時間を含まないことを条件として、前記使用希望時間を前記使用予定時間として承認する、
請求項１又は２に記載の防音室。
【請求項４】
前記ユーザの操作を受け付ける操作受付部をさらに有し、
前記扉は、光の透過度を変化可能なブラインドを有し、
前記制御部は、前記使用予定時間が経過するまでの間、前記操作受付部が受け付けた前記ユーザの操作に応じて前記ブラインドの透過度を変化させる、
請求項１又は２に記載の防音室。
【請求項５】
前記空間内の空気を外部に放出するファンと、
前記空間内の臭いを検出する臭い検出部と、
をさらに有し、
前記制御部は、前記使用予定時間が経過した時点で、前記臭い検出部が所定の臭いを検出した場合、前記使用予定時間が経過した後に、前記臭い検出部が所定の臭いを検出しな
い場合よりも長い時間にわたって前記ファンを動作させる、
請求項１から４のいずれか一項に記載の防音室。
【請求項６】
前記防音室の重量を計測する重量計測部と、
警告音を発生する警報部と、
をさらに有し、
前記重量計測部は、前記ユーザが入る前の重量である第１重量と前記ユーザが出た後の重量である第２重量とをそれぞれ計測し、
前記制御部は、前記重量計測部が計測した第１重量と第２重量との差が所定の閾値を超えた場合、前記警報部に警告音を発生させる、
請求項１から５のいずれか一項に記載の防音室。
【請求項７】
音を減衰させる音減衰部であって、前記防音室の外部から前記空間に入る音の減衰率よりも前記空間から前記防音室の外部に出る音の減衰率の方が大きい前記音減衰部をさらに有する、
請求項１から６のいずれか一項に記載の防音室。
【請求項８】
前記電源部は、屋内又は屋外に設けられた電源コンセントに接続可能な電源プラグを介して取得した電力を前記電子機器に供給する、
請求項１から７のいずれか一項に記載の防音室。
【発明の詳細な説明】
【技術分野】
【０００１】
本発明は、防音室に関する。
【背景技術】
【０００２】
従来、内部で発生した音を外部に漏れにくくするための吸音構造を備える防音室が知られている。特許文献１には、内部に設置されたオーディオ機器が発生する音を吸収する吸音材が筐体に設けられた防音室が開示されている。
【先行技術文献】
【特許文献】
【０００３】
【特許文献１】特開２０１７−８５５３号公報
【発明の概要】
【発明が解決しようとする課題】
【０００４】
従来の防音室は、家庭や企業でピアノ等の楽器を演奏したり、音楽を聴いたりすることを目的として設置されていた。家庭や企業に防音室が設置されている場合、防音室に自由に入ることができる人は、家族又は社員に限られる。
【０００５】
ところで、防音室が不特定多数の人が通る場所に設置されることも想定される。不特定多数の人が通る場所に従来の防音室が設置された場合には、不特定多数の人が防音室に自由に入ることができる。不特定多数の人が防音室に自由に入れる場合、防音室を適切に使用しない人が入ってしまい、例えば防音室に損傷が与えられるような問題が生じるおそれがある。そこで、防音室に入れる人を制限する必要が生じていた。
【０００６】
そこで、本発明はこれらの点に鑑みてなされたものであり、入れる人を限定することができる防音室を提供することを目的とする。
【課題を解決するための手段】
【０００７】
本発明の防音室は、ユーザが入ることができる空間を形成する筐体と、前記筐体に結合した扉と、を備える防音室であって、前記筐体と前記扉との間に設けられた錠と、前記筐体の内部に設けられた電子機器に電力を供給する電源部と、前記錠を開く指示を受信したことに応じて前記錠を開く制御部と、  前記防音室を使用するユーザの情報端末が読取可能であり、前記防音室を識別するための防音室識別情報を掲示する情報掲示部と、警報音を発生する音源を有する警報部及び前記防音室の使用に関する情報を表示させる表示部のうちの少なくとも一方と、を有し、前記制御部は、前記防音室を管理する管理装置が前記情報端末から前記防音室識別情報を受信したことに応じて送信する前記指示を受信したことに応じて前記錠を開き、予め設定された使用予定時間が経過した状態で、前記警報部に警報音を発生させ、あるいは前記表示部に前記防音室から退出することを促す情報を表示させることを特徴としている。
【０００８】
前記制御部は、前記錠を開いてから前記使用予定時間が経過した時点で前記錠が閉じている場合に前記錠を開いてもよい。く、
【０００９】
前記防音室は、前記ユーザによる使用希望時間の入力操作を受け付ける操作受付部と、予め設定された予約時間を記憶する記憶部と、をさらに有し、前記制御部は、前記操作受付部が受け付けた前記使用希望時間が前記予約時間を含まないことを条件として、前記使用希望時間を前記使用予定時間として承認してもよい。
【００１０】
前記防音室は、前記ユーザの操作を受け付ける操作受付部をさらに有し、前記扉は、光の透過度を変化可能なブラインドを有し、前記制御部は、前記使用予定時間が経過するまでの間、前記操作受付部が受け付けた前記ユーザの操作に応じて前記ブラインドの透過度を変化させてもよい。
【００１１】
前記防音室は、前記空間内の空気を外部に放出するファンと、前記空間内の臭いを検出する臭い検出部と、をさらに有し、前記制御部は、前記使用予定時間が経過した時点で、前記臭い検出部が所定の臭いを検出した場合、前記使用予定時間が経過した後に、前記臭い検出部が所定の臭いを検出しない場合よりも長い時間にわたって前記ファンを動作させてもよい。
【００１２】
前記防音室は、前記防音室の重量を計測する重量計測部と、警告音を発生する警報部と、をさらに有し、前記重量計測部は、前記ユーザが入る前の重量である第１重量と前記ユーザが出た後の重量である第２重量とをそれぞれ計測し、前記制御部は、前記重量計測部が計測した第１重量と第２重量との差が所定の閾値を超えた場合、前記警報部に警告音を発生させてもよい。
【００１３】
前記防音室は、音を減衰させる音減衰部であって、前記防音室の外部から前記空間に入る音の減衰率よりも前記空間から前記防音室の外部に出る音の減衰率の方が大きい前記音減衰部をさらに有してもよい。
【００１４】
前記電源部は、屋内又は屋外に設けられた電源コンセントに接続可能な電源プラグを介して取得した電力を前記電子機器に供給してもよい。
【発明の効果】
【００１５】
本発明によれば、防音室に入れる人を限定することができ、使用予定時間が経過したら退出を促すことができるという効果を奏する。
【図面の簡単な説明】
【００１６】
【図１】防音室と外部機器との関係を示す図である。
【図２】防音室の外部構造を示す図である。
【図３】防音室の内部構成を示す図である。
【図４】記憶部が記憶している予約時間データベースの一例を示す図である。
【図５】音減衰部の構造を説明するための図である。
【図６】防音室における処理の流れを示すフローチャートである。
【図７】第２の実施形態に係る防音室管理システムの概要を説明するための図である。
【図８】第２の実施形態に係る防音室の外観を示す図である。
【図９】第２の実施形態に係る防音室の内部構成を示す図である。
【図１０】第２の実施形態に係る防音室管理システムにおけるシーケンス図である。
【発明を実施するための形態】
【００１７】
＜第１の実施形態＞
［防音室１の概要］
図１から図３は、防音室１の構成について説明するための図である。図１は、防音室１と外部機器２との関係を示す図である。図２は、防音室１の外部構造を示す図である。図３は、防音室１の機能構成を示す図である。
【００１８】
防音室１は、筐体１１と扉１２とにより形成された、人（以下、ユーザという）が入ることができる空間を有する。防音室１は、例えば駅構内、空港、商業施設、展示場、屋外の広場、店舗の内部、ホテル、共同住宅、又はオフィス内のように、さまざまな人が通行する場所に設置される。防音室１は、鉄道車両、バス、タクシー又は飛行機等の移動体に設置されてもよい。
【００１９】
筐体１１は、金属、木材又は樹脂等により形成されており、少なくとも一つの側面に、ユーザが出入りするための開口が形成された直方体又は円柱体形状の部材である。筐体１１の底面にはキャスター（不図示）及びアジャスター（不図示）が設けられている。防音室１の設置者は、キャスターを使って設置場所に防音室１を移動した後に、アジャスターの長さが防音室１の底面と床面との距離に等しくなるように調整することで、防音室１を固定することができる。
【００２０】
扉１２は、筐体１１に形成された開口を塞ぐことができるように筐体１１に結合されており、筐体１１との結合部位を軸にして開閉可能に構成されている。扉１２には扉ガラス３４が設けられており、外部から防音室１の内部を視認することが可能になっている。
【００２１】
図１に示すように、防音室１は、インターネット等のネットワークＮを介して外部機器２との間でデータを送受信することができる。防音室１を利用するユーザは、例えば、防音室１に設置されたテレビ会議用端末を用いて、テレビ会議機能を有する外部機器２を利用するユーザとの間でテレビ会議を行うことができる。
【００２２】
筐体１１の内側には吸音材が設けられており、防音室１の内部でユーザが話した声、及び外部機器２を使用するユーザが発した声が防音室１の外部に漏れにくい。したがって、防音室１が、不特定多数の人が通る場所（以下、公共場所という）に設置されている場合であっても、ユーザは、機密性が高い内容を安心して話すことができる。
【００２３】
防音室１が公共場所に設置されている場合、不特定多数の人が自由に防音室１に入ることができると、防音室１の内部設備に損傷が加えられるおそれがある。そこで、防音室１には錠３１が設けられており、所定の料金を支払った人が防音室１に入ることができるように構成されている。
【００２４】
防音室１を利用するユーザから料金の支払いを受けるために、扉１２の付近にカード読取部３７が設けられている。詳細については後述するが、カード読取部３７は、電子マネーカード（例えばプリペイドカード）やクレジットカード等のように金銭の支払いが可能なカードから、カードに記憶された決済に用いられる情報（以下、決済情報という）を読み取る読取部である。ユーザが例えば電子マネーカードをカード読取部３７に近づけることにより、電子マネーカードに記憶された残高から所定の利用料が減額されることにより決済が完了し、決済が完了した後に錠３１が開く。また、決済が完了した後には、防音室１の内部の電子機器への電力の供給が開始され、ユーザがテレビ会議を開始することが可能になる。カード読取部３７は、金銭の支払いが可能なカードの代わりに、ユーザのスマートフォンのような情報端末から決済情報を読み取ってもよい。
【００２５】
カード読取部３７の近傍には、ユーザの操作を受け付ける操作受付部３８が設けられている。操作受付部３８は、例えばタッチパネル付きのディスプレイであり、ユーザにより入力された使用予定時間を受け付ける。ユーザは、例えば、３０分、６０分、９０分のいずれか一つの使用予定時間を選択することができる。決済される料金は、使用予定時間に応じて決定されており、決済が完了してから使用予定時間が経過するまでの間、防音室１の内部への電子機器への電力の供給が開始される。
以下、図３を参照しながら、防音室１の構成について詳細に説明する。
【００２６】
［防音室１の構成］
防音室１は、ＣＰＵ２１と、記憶部２２と、検出部２３と、錠３１と、電源部３２と、空調設備３３と、扉ガラス３４と、表示部３５と、警報部３６と、カード読取部３７と、操作受付部３８と、通信部３９と、音減衰部４０とを有する。ＣＰＵ２１は、制御部として機能し、錠３１、電源部３２、空調設備３３、扉ガラス３４、表示部３５、警報部３６、カード読取部３７、操作受付部３８、及び通信部３９の動作を制御する。
【００２７】
記憶部２２は、ＲＯＭ（Read Only Memory）、ＲＡＭ（Random Access Memory）及びハードディスク等の記憶媒体を有する。記憶部２２は、ＣＰＵ２１が実行するプログラムを記憶している。また、予め設定された防音室１の予約時間を記憶している。
【００２８】
図４は、記憶部２２が記憶している予約時間データベースの一例を示す図である。予約時間データベースにおいては、予約時間とユーザ識別情報とが関連付けられている。ユーザ識別情報は、例えばユーザのカードに記憶されたユーザに固有の情報である。ユーザは、例えば、操作受付部３８において予約操作をした後にカードを用いて決済することで、希望の時間を予約することができる。
【００２９】
ユーザは、外部のコンピュータや携帯端末を用いて所定の予約サイトにアクセスして予約をしてもよい。予約サイトにおいて、ユーザは、予約が可能な複数の防音室１から使用を希望する防音室１を選択し、選択した防音室１を使用したい日時を入力する。その後、ユーザは、例えばクレジットカードの番号を入力することにより、予約サイトを提供する予約サーバにおいて、ユーザ識別情報に関連付けて予約時間及び防音室１を特定するための防音室識別情報である防音室ＩＤが記憶される。予約サーバは、予約時間及びユーザ識別情報を、予約された防音室１に送信し、予約時間及びユーザ識別情報を受信した防音室１のＣＰＵ２１が、予約時間及びユーザ識別情報を記憶部２２に記憶させる。
【００３０】
検出部２３は、臭いセンサー２３１と、人感センサー２３２と、重量センサー２３３とを有する。臭いセンサー２３１は、防音室１の内部空間内の臭いを検出し、検出した臭いの種別及び強度の少なくともいずれかを示す臭い情報をＣＰＵ２１に通知する。人感センサー２３２は、防音室１の内部に人が存在するか否かを検出し、人が存在するか否かを示す人検出情報をＣＰＵ２１に通知する。重量センサー２３３は、防音室１の内部の物品の重量を検出し、検出した重量をＣＰＵ２１に通知する。
【００３１】
錠３１は、筐体１１と扉１２との間に設けられており、ＣＰＵ２１の制御により、扉１２を開くことができる開錠状態と扉１２を開くことができない閉錠状態とを切り替える。
錠３１は、筐体１１の内側からユーザが操作することにより、開錠状態と閉錠状態とを切り替えることもできるように、筐体１１の内側に操作部が設けられている。
【００３２】
電源部３２は、筐体１１の内部に設けられた電子機器に電力を供給する。電源部３２は、例えば、屋内又は屋外に設けられた電源コンセントに接続可能な電源プラグ３２１を介して取得した電力を電子機器に供給する。電子機器は、常設されたテレビ会議用の設備、筐体１１の内部に設置された照明設備及び空調設備３３、並びにユーザが持ち込んだコンピュータ又は携帯端末等である。電源部３２は、ＣＰＵ２１の制御に基づいて、決済が完了してから使用予定時間が経過するまでの間、電子機器に電力を供給する。なお、電源部３２は、電源プラグ３２１を介して取得した電力以外に、バッテリー（不図示）に蓄積された電力を電子機器に供給してもよい。
【００３３】
ＣＰＵ２１は、カード読取部３７が決済情報を読み取ったことに応じて決済した後に錠３１を開くとともに、電源部３２に電力の供給を開始させる。また、ＣＰＵ２１は、錠３１を開いてから使用予定時間が経過するまでの間、電源部３２に電力を供給させ、錠３１を開いてから使用予定時間が経過した時点で、電源部３２に電力の供給を停止させる。このようにすることで、所定の料金を支払ったユーザのみが防音室１を使用することが可能になる。
【００３４】
ＣＰＵ２１は、錠３１を開いてから使用予定時間が経過した時点で錠３１が閉じている場合に錠３１を開く。ＣＰＵ２１は、使用予定時間が経過した時点で扉１２を開いてもよい。このようにすることで、使用予定時間が経過した後にもユーザが継続して防音室１を使用している場合に、外部から扉１２を開いて、ユーザに出てもらうことが可能になる。
さらに、ＣＰＵ２１が扉１２を開くことにより、防音効果がなくなるため、ユーザが防音室１の内部にいるメリットが失われ、ユーザが自発的に防音室１から出ていくように促すことが可能になる。
【００３５】
空調設備３３は、防音室１の内部空間を換気するとともに、内部温度を調整する。空調設備３３は、例えば筐体１１の天井に設けられ、防音室１の内部空間内の空気を外部に放出するファンを有している。空調設備３３は、ＣＰＵ２１の制御に基づいて、決済が完了してから使用予定時間が経過するまでの間、動作する。空調設備３３は、使用予定時間が経過した時点で温度調整機能を停止させ、温度調整機能を停止してから所定の時間にわたってファンのみを動作させてもよい。このようにすることで、次に別のユーザが防音室１を使用する際に不快な臭いが残ってしまうことを防ぐことができる。
【００３６】
扉ガラス３４は、扉１２に設けられている。扉ガラス３４は、例えばＣＰＵ２１の制御に基づいて透過度を変化させることができるブラインドとして機能する。扉ガラス３４は、使用予定時間が経過するまでの間、ＣＰＵ２１の制御に基づいて、操作受付部３８が受け付けたユーザの操作に応じて透過度を変化させることができる。ユーザは、例えば防音室１の内部でテレビ会議を行っている様子を外部から見られたくない場合に扉ガラス３４の透過度を下げる操作をすることで、テレビ会議用のモニタに表示されている映像が外部から視認できないようにすることができる。防音室１には、透過度を変化可能な扉ガラス３４の代わりに、ＣＰＵ２１の制御に基づいて角度を変化させる複数の細長い板状部材により構成されるブラインドが設けられていてもよい。
【００３７】
ＣＰＵ２１は、使用予定時間が経過すると、ブラインドの透過度が最大になり、外部から内部が視認できるようにする。このようにすることで、使用予定時間が経過した後に、ユーザが防音室１に居続ける行為を抑制することができる。
【００３８】
表示部３５は、各種の情報を表示するディスプレイであり、例えば筐体１１の正面側に設けられている。ＣＰＵ２１は、ユーザが使用していない状態において利用可能であることを示す情報を表示部３５に表示させる。ＣＰＵ２１は、錠３１を開き、電源部３２が電力の供給を開始した時点で、使用中であることを示す情報を表示部３５に表示させる。
【００３９】
警報部３６は、警報音を発生する音源を有する。ＣＰＵ２１は、例えば、使用予定時間が経過してから所定の時間が経過した後に人感センサー２３２が人を検出した場合に、警報部３６に警報音を発生させる。この場合、ＣＰＵ２１は、「退室してください」等のように退室を促す情報を表示部３５に表示させてもよい。このように、警報音が鳴動するとともに表示部３５に退室を促す情報が表示されることで、ユーザが防音室１に居続ける行為を抑制することができる。
【００４０】
カード読取部３７は、金銭の支払いが可能なカードに記憶された決済情報を読み取る。
上述のとおり、カードは電子マネーカード又はクレジットカードであり、カード読取部３７は、読み取った決済情報をＣＰＵ２１に通知する。ＣＰＵ２１は、カード読取部３７が電子マネーカードから残高情報を読み取った場合、操作受付部３８において入力された使用予定時間に対応する料金を残高情報が示す残高から減算し、カード読取部３７に、減算した結果を電子マネーカードに書き込ませる。ＣＰＵ２１は、カード読取部３７がクレジットカードからクレジットカード番号を読み取った場合、クレジットカードの決済をするための外部サーバにクレジットカード番号と料金を通知することにより決済を実行する。
【００４１】
カード読取部３７は、カードに記憶されたユーザを特定するためのユーザ識別情報をさらに読み取って、読み取ったユーザ識別情報をＣＰＵ２１に通知してもよい。ＣＰＵ２１は、使用予定時間が経過してから所定の時間が経過した時点で、使用予定時間中から継続して人がいることを人感センサー２３２が検出した場合に、カード読取部３７が読み取ったユーザ識別情報を、使用禁止者情報として記憶部２２に記憶させてもよい。ＣＰＵ２１は、その後、カード読取部３７が読み取ったユーザ識別情報が使用禁止者情報に一致する場合、カード読取部３７が決済情報を読み取ったことに応じて錠３１を開かないようにする。このようにすることで、使用予定時間が経過しても防音室１を使用し続けた実績があるユーザが、再び防音室１を使用することを防止できる。
【００４２】
操作受付部３８は、上述のようにユーザの操作を受け付ける。操作受付部３８は、受け付けた操作により特定される情報をＣＰＵ２１に通知する。例えば、操作受付部３８は、入力された使用希望時間をＣＰＵ２１に通知する。ＣＰＵ２１は、操作受付部３８が受け付けた使用希望時間が、記憶部２２に記憶された予約時間を含まないことを条件として、使用希望時間を使用予定時間として承認する。
【００４３】
例えば、図４に示すように、２０１７年７月２１日の１０時００分から１１時３５分までの間は、既に予約されているとする。この場合に、ユーザが入力した使用希望時間が２０１７年７月２１日の９時４５分から１０時１５分であるように、使用希望時間の一部が予約時間と重なっている場合、ＣＰＵ２１は、使用希望時間を使用予定時間として認めない。そして、ＣＰＵ２１は、操作受付部３８が有するディスプレイに「予約済の時間なので使用できません」と表示する。一方、ユーザが入力した使用希望時間が２０１７年７月２１日の９時３０分から１０時００分であるように、使用希望時間が予約時間と重なっていない場合に、記憶部２２は、使用希望時間を使用予定時間として認めてもよい。
【００４４】
なお、使用予定時間の終了時刻が予約時間の開始時刻と一致している場合、使用予定時間が経過したユーザが退室し終える前に、予約した他のユーザが入室しようとして、トラブルが発生するおそれがある。そこで、記憶部２２は、使用希望時間の終了時刻が、予約時間の開始時刻から所定の時間（例えば５分間）以上前であることを条件として、使用希望時間を使用予定時間として認めるようにしてもよい。このようにすることで、防音室１を使用していたユーザが退室した後に他のユーザの予約時間が開始するので、トラブルの発生を未然に防ぐことができる。
【００４５】
通信部３９は、ＣＰＵ２１がネットワークＮを介して外部機器との間でデータを送受信するための通信インターフェースであり、例えばＬＡＮ（Local Area Network）コントローラを含んでいる。
【００４６】
音減衰部４０は、音を減衰させる機能を有する。音減衰部４０は、防音室１の内部で発生した音が外部に漏れにくいように、筐体１１の内側から外側に向かうにつれて音を減衰させる音減衰部材を有している。音減衰部材は、外部の音の影響でテレビ会議をしづらくなることを防ぐために、筐体１１の外側から内側に向かうにつれて音を減衰させる機能も有している。
【００４７】
ここで、外部の音が減衰され過ぎてしまうと、防音室１の外で火災が発生した場合に発せられる非常ベルの音等の警報音が聞こえなくなってしまうので危険である。そこで、音減衰部４０は、防音室１の外部から内部空間に入る音の減衰率よりも内部空間から防音室１の外部に出る音の減衰率の方が大きくなるように構成されている。例えば、音減衰部４０は、筐体１１の内側から外側に音が伝達される際に音の反射が発生しやすく、筐体１１の外側から内側に音が伝達される際に音の反射が発生しにくくなる音減衰部材を有する。
【００４８】
図５は、音減衰部４０の構造を説明するための図であり、防音室１の断面を模式的に示す図である。音減衰部４０は、複数の音減衰部材４００を有しており、防音室１の筐体１１の天井側に設けられている。音減衰部材４００は、外側反射部４０１、直進部４０２、及び内側反射部４０３を有する。
【００４９】
図５（ａ）は、実線の矢印で示す防音室１の外部からの音及び防音室１の内部の音が、それぞれ防音室１の内部及び外部に届きにくくなる様子を示している。防音室１の外部からの音は、外側反射部４０１の曲面において反射することで減衰し、防音室１の内部に届きにくくなる。また、防音室１の内部の音は、内側反射部４０３の曲面において反射することで減衰し、防音室１の外部に届きにくくなる。
【００５０】
なお、外側反射部４０１の形状と内側反射部４０３の形状とが異なるようにすることで、筐体１１の内側から外側に音が伝達される際に音の反射が発生しやすく、筐体１１の外側から内側に音が伝達される際に音の反射が発生しにくくなるようにすることができる。
例えば、内側反射部４０３の内径を外側反射部４０１の内径よりも小さくすることにより、外側から内側に音が届く状態を維持しつつ、内側から外側に音が漏れにくくなる。内側反射部４０３において音が反射しやすくするために、内側反射部４０３の表面の凹凸の量を外側反射部４０１の表面の凹凸の量よりも多くしてもよい。
【００５１】
このように、音減衰部４０は、音を効果的に減衰することができるとともに、空気や水を通過させることは可能になっている。図５（ｂ）の実線の矢印が示すように、防音室１の外部の空気、及び防音室１の上方に設置されたスプリンクラーから放出される水は、外側反射部４０１及び直進部４０２を介して、筐体１１の内部の空間にまで達する。防音室１がこのような構成を有することにより、防音室１は、外部と内部との間での音の伝達量を抑制しつつ、空気及び水が内部空間に達するので、防音性能と安全性能を両立させることができる。
【００５２】
［付加機能］
防音室１は、ユーザの利便性を向上したり、防音室１を設置することによる収益性を向上させたりするために、各種の付加機能を提供してもよい。
【００５３】
（臭い除去機能）
ユーザが快適に防音室１を使用できるように、ＣＰＵ２１は、使用予定時間が経過した後にも、空調設備３３が有するファンを動作させて換気する。ＣＰＵ２１は、使用予定時間が経過した時点で、臭いセンサー２３１が所定の臭いを検出した場合、使用予定時間が経過した後に、臭いセンサー２３１が所定の臭いを検出しない場合よりも長い時間にわたって空調設備３３が有するファンを動作させてもよい。ＣＰＵ２１は、使用予定時間が経過した時点で、臭いセンサー２３１が所定の臭いを検出した場合に、不図示のタンクに収容された消臭材を放出させてもよい。このようにすることで、ユーザが不快に感じる可能性がある臭いが防音室１に残っている場合に効果的に臭いを除去することができる。
【００５４】
（忘れ物防止・テロ対策機能）
ユーザが持ち込んだ物品を残したまま防音室１を出てしまわないように、ＣＰＵ２１は、ユーザの物品が残っている場合に、警報部３６に警報音を出力させるとともに、忘れ物があることを表示部３５に表示させてもよい。また、ＣＰＵ２１が、例えば臭いセンサー２３１等のセンサーを用いて、この忘れ物がテロにおける爆弾であることを検出した場合には、所定の連絡先に通報してもよい。ＣＰＵ２１は、忘れ物を検出するために、例えば、重量センサー２３３を制御して、ユーザが入る前の重量である第１重量とユーザが出た後の重量である第２重量とをそれぞれ計測させる。ＣＰＵ２１は、第１重量と第２重量との差が所定の閾値を超えた場合、警報部３６に警告音を発生させる。所定の閾値は、重量センサー２３３の測定誤差に基づいて定められており、ＣＰＵ２１は、例えば第１重量と第２重量との差が１０グラム以上である場合に警告音を発生させる。
【００５５】
（広告表示機能）
防音室１を設置した事業者の収益性を高めるために、防音室１は、筐体１１及び扉１２の外側又は内側に設けられたディスプレイに広告を表示してもよい。例えば、ＣＰＵ２１は、通信部３９を介して一以上の広告情報を外部機器から取得し、取得した広告情報をディスプレイに表示させる。ＣＰＵ２１が広告情報を表示する方法は任意であり、図２に示すように扉１２の上部に設けられた表示部３５に広告情報を表示してもよく、筐体１１の両側面に設けられたデジタルサイネージに広告情報を表示させてもよく、扉ガラス３４に設けられた光透過性ディスプレイに広告情報を表示させてもよい。
【００５６】
ＣＰＵ２１は、広告主に対するメリットを提供し、広告を依頼しやすくするために、広告主に関連するユーザに対して料金を割り引くように動作してもよい。このようにするために、ＣＰＵ２１は、カード読取部３７がカードから読み取ったユーザ識別情報が、通信部３９が受信した一以上の広告情報の少なくともいずれかに関連付けられている場合、通信部３９が受信した一以上の広告情報の少なくともいずれかに関連付けられていない場合よりも低額の料金を決済する。具体的には、Ａ社が広告主である場合、ＣＰＵ２１は、ユーザ識別情報がＡ社の社員であることを示している場合に、ユーザ識別情報が広告主の社員でない場合よりも低額の料金で防音室１を利用できるようにする。
【００５７】
ＣＰＵ２１は、カード読取部３７がカードから読み取ったユーザ識別情報が、通信部３９が受信した一以上の広告情報のいずれかを提供する広告主に関連付けられている場合に、ユーザが防音室１を使用している間、当該広告主の広告情報を表示部３５に表示させてもよい。例えば、ユーザがＡ社の社員である場合に、このユーザの使用予定時間の一部又は全部の時間において、Ａ社の広告を表示する。このようにすることで、防音室１を利用してくれるユーザに関連する広告主が、ユーザに対して防音室１を利用することを積極的に促すように動機付けられるので、防音室１を設置することによる収益性をさらに向上させることができる。
【００５８】
（セキュリティレベルの変更）
上述のように、防音室１は、さまざまな場所に設置することができるが、設置される場所によって、入れる人を制限したり、セキュリティレベルを変更したりすることが求められる場合がある。例えば、企業内に設置される場合は、料金を払うことなく任意の社員が防音室１に入れるが、不特定多数の人が通行するエリアに設置される場合は、料金を払い終えた人のみが防音室１に入れるようにする必要がある。さらに、不特定多数の人が通行するエリアに設置される場合、身元を確認した上で入れるようにすることが好ましい場合もある。
【００５９】
そこで、防音室１は、防音室１の管理者が、防音室１の設置場所に応じてセキュリティレベルを容易に変更する設定モードを有してもよい。具体的には、ＣＰＵ２１は、防音室１の電源が投入された直後に、操作受付部３８のディスプレイに設定画面を表示させ、管理者が、設置場所又は設置場所の種別を入力できるようにする。管理者が設置場所又は設置場所の種別を入力すると、ＣＰＵ２１は、入力された設置場所又は設置場所の種別に対応する条件が満たされた場合に錠３１を開くように制御する。
【００６０】
例えば、ＣＰＵ２１は、防音室１が屋外の広場に設置されたことを認識すると、電子マネーカードに加えて、運転免許証のように個人を特定できる情報が記載されたカードを読み取ったことを条件として錠３１を開く。一方、ＣＰＵ２１は、防音室１が企業内に設置されたことを認識すると、社員カードを読み取ったことを条件として錠３１を開く。
【００６１】
ＣＰＵ２１は、防音室１の設置場所によらず、内部に設置されたテレビ会議用端末を使用できるようにしてよいが、設置場所によって、テレビ会議用端末の性能を変更してもよい。例えば、ＣＰＵ２１は、防音室１が、高速の通信回線に接続された企業内に設置されている場合に、最高画質で画像を表示できるように設定し、防音室１が屋外に設置されており、無線通信回線しか使用できない場合に、最高画質よりは低い画質で画像を表示できるように設定してもよい。
【００６２】
［防音室１における処理の流れ］
図６は、防音室１における処理の流れを示すフローチャートである。図６に示すフローチャートは、防音室１を使用したいと考えているユーザが、自身の電子マネーカードをカード読取部３７に近付けることを契機として開始する。
【００６３】
ユーザが電子マネーカードをカード読取部３７に近づけると、カード読取部３７は、カードから決済情報及びユーザ識別情報を読み取って、読み取った情報をＣＰＵ２１に通知する（Ｓ１）。ＣＰＵ２１は、記憶部２２に記憶された予約時間データベースを参照し、カード読取部３７から通知されたユーザ識別情報のユーザが、カード読取部３７がカードから情報を読み取った時刻から所定の時間以内に予約しているか否かを判定する（Ｓ２）。ＣＰＵ２１は、ユーザが予約していると判定した場合、ステップＳ５に処理を進める。
【００６４】
ＣＰＵ２１は、ユーザが予約していないと判定した場合、操作受付部３８が有するディスプレイに、使用希望時間を入力するための画面を表示させる。ＣＰＵ２１は、入力された使用希望時間が予約時間を含んでいない場合、入力された使用希望時間を使用予定時間として取得する（Ｓ３）。ＣＰＵ２１は、入力された使用希望時間が予約時間を含んでいる場合、他の時間を選択することを操作受付部３８に表示させる。
【００６５】
ＣＰＵ２１は、使用予定時間を取得すると、カード読取部３７から取得した決済情報に基づいて決済する（Ｓ４）。具体的には、カード読取部３７が読み取ったカードが電子マネーカードである場合、決済情報が示している残高から使用料金を減額することにより決済する。
【００６６】
続いて、ＣＰＵ２１は、錠３１を開くことにより、ユーザが防音室１に入ることを可能にする（Ｓ５）。また、ＣＰＵ２１は、電源部３２を制御して電子機器への電力の供給を開始する（Ｓ３６）。
【００６７】
その後、ＣＰＵ２１は、電力の供給を開始してから使用予定時間が経過したかを監視する（Ｓ７）。ＣＰＵ２１は、使用予定時間が経過したと判定すると（Ｓ７においてＹＥＳ）、電力の供給を停止して（Ｓ８）、錠３１を開く（Ｓ９）。ＣＰＵ２１は、重量センサー２３３から通知された臭い情報に基づいて所定の臭いが残っているか否かを判定し（Ｓ１０）、所定の臭いが残っていると判定した場合（Ｓ１０においてＹＥＳ）、臭いが消えるまでの間、空調設備３３が有するファンを動作させる（Ｓ１１）。
【００６８】
［防音室１による効果］
以上説明したように、防音室１は、電子マネーカード又はクレジットカードに記憶された決済情報を読み取って、使用料金の決済が完了した後に、錠３１を開くとともに、内部の電子機器への電力の供給を開始させる。このようにすることで、防音室１が不特定多数の人が通る公共場所に設置されている場合であっても、所定の料金を支払った人のみが防音室１を使用できるようになるので、防音室１に入れる人を限定することができ、防音室に損傷を加えられてしまうリスクを低減することができる。
【００６９】
＜第２の実施形態＞［解錠システムＳの概要］
図７は、第２の実施形態に係る防音室管理システムＳの概要を説明するための図である。図８は、第２の実施形態に係る防音室１０の外観を示す図である。図９は、第２の実施形態に係る防音室１０の内部構成を示す図である。図１０は、第２の実施形態に係る防音室管理システムＳにおけるシーケンス図である。
【００７０】
防音室管理システムＳは、複数の防音室１０と、複数の防音室１０を管理する管理サーバ３とを備える。管理サーバ３は、複数の防音室１０を管理する管理装置であり、インターネットＮ等のネットワークを介して複数の防音室１０との間でデータを送受信し、防音室１０を解錠又は施錠するように制御する。
【００７１】
第１の実施形態に係る防音室１は、カード読取部３７が電子マネーカード又はクレジットカードに記憶された決済情報を読み取って、使用料金の決済が完了したことに応じて錠３１を開いた。これに対して、防音室管理システムＳにおける複数の防音室１０（図７においては防音室１０ａと防音室１０ｂを例示）のそれぞれは、防音室１０の使用を希望するユーザの情報端末４（例えばスマートフォン）が、防音室１０を識別するための情報である防音室ＩＤを含むＱＲコード４１（ＱＲコードは登録商標）を読み取ることにより錠３１を開くという点で、第１の実施形態に係る防音室１と異なる。以下、第１の実施形態と相違する点を中心に説明する。
【００７２】
図８に示すように、ＱＲコード４１は、例えば錠３１の付近に貼り付けられている。ＱＲコード４１は、防音室１０を使用するユーザの情報端末４が読取可能であり、防音室１０を識別するための防音室ＩＤを掲示する情報掲示部である。防音室１０を利用したいユーザは、情報端末４にインストールされた防音室利用アプリケーションソフトウェアを起動してＱＲコード４１を読み取る。情報端末４は、読み取ったＱＲコード４１に含まれている防音室ＩＤを認識する（図１０におけるＳ２１）。情報端末４は、認識した防音室ＩＤとともに情報端末４のユーザを識別するためのユーザ識別情報（図８におけるユーザＩＤ）を管理サーバ３に送信する。ユーザ識別情報は、例えば、防音室を利用するためのアプリケーションソフトウェア（以下、防音室アプリという）において予め登録されている。ユーザ識別情報は、情報端末４の個人のＩＤであってもよく、情報端末４を使用するユーザが勤務する組織（例えば会社）のＩＤであってもよい。
【００７３】
管理サーバ３は、防音室ＩＤ及びユーザ識別情報を受信すると、ユーザ識別情報が、防音室１０を利用可能なユーザとして登録されているか否かを認証する（Ｓ２２）。管理サーバ３は、受信したユーザ識別情報が、予め登録された複数のユーザ識別情報のうちのいずれかのユーザ識別情報と一致している場合、受信した防音室ＩＤに対応する防音室１０に対して、錠３１を開くことを指示するための解錠指示を送信する。この際、管理サーバ３は、解錠することを通知するための解錠予告通知を情報端末４に送信してもよい。管理サーバ３は、受信したユーザ識別情報が、予め登録された複数のユーザ識別情報のうちのいずれかのユーザ識別情報と一致していない場合、防音室１０を使用できないことを通知するための使用不可通知を情報端末４に送信する。
【００７４】
防音室１０のＣＰＵ２１は、管理サーバ３から解錠指示を受信すると、錠３１を開くとともに、内部の電子機器への電力の供給を開始させる（Ｓ２３）。そして、ＣＰＵ２１は、解錠が完了したことを示す解錠完了通知を管理サーバ３に送信する。管理サーバ３は、解錠完了通知を受信した時刻を、ユーザが防音室１０の使用を開始した時刻として、ユーザ識別情報に関連付けて記憶媒体に記録する（Ｓ２４）。
【００７５】
その後、ユーザが防音室１０の使用を終了する場合、扉１２を開いて防音室１０の室外に出て、情報端末４によりＱＲコード４１を読み取る。情報端末４は、読み取ったＱＲコード４１に含まれている防音室ＩＤを認識し（Ｓ２５）、防音室ＩＤとともにユーザ識別情報を管理サーバ３に送信する。情報端末４は、防音室ＩＤ及びユーザ識別情報を送信する前に、「防音室を閉めてもよいですか？」という確認メッセージを表示し、ユーザから承認操作を受けたことを条件として防音室ＩＤ及びユーザ識別情報を送信してもよい。
【００７６】
管理サーバ３は、防音室１０をユーザ識別情報のユーザが防音室ＩＤの防音室１０を使用している間に、当該防音室ＩＤ及びユーザ識別情報を受信した場合、ユーザが防音室１０の使用を終了すると判定し、防音室１０に対して錠３１を閉じるための施錠指示を送信する。防音室１０のＣＰＵ２１は、施錠指示を受信すると、錠３１を閉じて（Ｓ２６）、施錠が完了したことを示す施錠完了通知を管理サーバ３に送信する。管理サーバ３は、施錠完了通知を受信した時刻を、ユーザが防音室１０の使用を終了した時刻として、ユーザ識別情報に関連付けて記憶媒体に記録する。
【００７７】
管理サーバ３は、ユーザ識別情報に関連付けて記憶された使用開始時刻と使用終了時刻との時間差に基づいて料金を計算し、ユーザ識別情報に関連付けて予め登録された方法で決済する（Ｓ２７）。例えば、管理サーバ３は、ユーザ識別情報に対応する氏名又は会社名が含まれる請求書を発行したり、ユーザ識別情報に関連付けて登録されたクレジットカード番号及び料金を、決済処理を実行する外部サーバに通知することにより決済を実行したりする。
【００７８】
なお、防音室１０の使用料金を徴収する方法は任意であり、他の各種の方法を用いることも可能である。例えば、管理サーバ３は、防音室１０の錠３１が閉じた状態で防音室ＩＤ及びユーザ識別情報を受信した場合に、ユーザ識別情報に関連付けて登録されたクレジットカード番号を用いて基本料金を徴収する。この場合、管理サーバ３は、防音室１０の錠３１が開いた状態で防音室ＩＤ及びユーザ識別情報を受信した場合に、ユーザ識別情報に関連付けて登録されたクレジットカード番号を用いて、使用時間に応じた追加料金を徴収してもよい。
【００７９】
また、管理サーバ３は、防音室１０の錠３１が閉じた状態で防音室ＩＤ及びユーザ識別情報を受信した場合に、防音室１０に対して料金徴収指示を送信し、防音室１０のＣＰＵ２１は、第１の実施形態に係る防音室１と同様に、カード読取部３７を用いて電子マネーカード又はクレジットカードで使用料金を徴収してもよい。この場合、ＣＰＵ２１は、料金徴収指示を受信した時点で、例えば表示部３５に「カードを使って料金をお支払いください」といったメッセージを表示させたり、カード読取部３７に設けられた発光部を光らせたりして、ユーザに料金の支払いを促してもよい。
【００８０】
また、ＣＰＵ２１は、解錠指示を受信した場合に、錠３１を開く前に、操作受付部３８において使用予定時間を入力させるようにしてもよい。ＣＰＵ２１は、ユーザが使用予定時間を入力すると、入力された使用予定時間を管理サーバ３に通知し、管理サーバ３から承認を受けたことを条件として錠３１を開く。
【００８１】
管理サーバ３は、現在時刻から使用予定時間が経過するまでの間に防音室１０を使用する予約が入っている場合、使用可能な最長時間を防音室１０に通知する。ＣＰＵ２１は、例えば「１０時００分までしか使用できませんがよいですか」といった確認メッセージを表示部３５に表示させ、ユーザが承認する操作をしたことを条件に錠３１を開く。このようにすることで、ユーザが、次の予約が入っている時間まで防音室１０を使用することができる。
【００８２】
情報端末４は、ＱＲコード４１を読み取ったことに応じて、使用予定時間を入力する画面を表示し、防音室ＩＤ及びユーザ識別情報とともに、使用予定時間を管理サーバ３に送信してもよい。この場合、管理サーバ３は、現在時刻から使用予定時間が経過するまでの間に防音室１０を使用する予約が入っている場合、使用可能な最長時間を情報端末４に通知する。情報端末４は、例えば「１０時００分までしか使用できませんがよいですか」といった確認メッセージを表示させ、ユーザが承認する操作をした場合に、その旨を管理サーバ３に送信する。管理サーバ３は、承認を得られたことを条件として防音室１０に対して解錠指示を送信する。このようにすることによっても、ユーザが、次の予約が入っている時間まで防音室１０を使用することができる。
【００８３】
［防音室管理システムＳによる効果］
以上説明したように、防音室管理システムＳにおいては、ユーザが情報端末４を用いて防音室１０に貼られているＱＲコード４１を読み取ることにより、防音室１０の使用を開始することができる。この場合、ユーザ自身のプリペイドカードやクレジットカードを用いて決済することなく、管理サーバ３に予め登録された決済方法によって料金を支払うことができる。したがって、多数のユーザが所属する会社が防音室１０を使用するように契約し、ユーザが防音室１０を使用した料金を会社が支払う場合に好適である。
【００８４】
なお、以上の説明においては、情報掲示部としてＱＲコード４１を例示したが、情報掲示部はＱＲコード４１以外の態様であってもよい。例えば、情報掲示部は、防音室ＩＤを示すテキスト情報であってもよく、防音室に固有の形状の物体であってもよい。
【００８５】
また、犯罪対策のために、防音室１０が監視カメラを備えており、防音室１０は、監視カメラで撮影された画像を管理サーバ３に送信してもよい。防音室１０は、例えば、ユーザが防音室１０を使用していない状態において、防音室１０の外部を撮影した画像を管理サーバ３に送信し、ユーザが防音室１０を使用している状態において、防音室１０の室内を撮影した画像を管理サーバ３に送信してもよい。このようにすることで、防音室１０は、管理サーバ３に送信する画像の容量をできるだけ少なくして、防音室１０が使用されている状態においては防音室１０の内部を破壊させるような行為を監視し、防音室１０が使用されていない状態においては防音室１０の外部を破壊させるような行為を監視することができる。
【００８６】
また、防音室１０においては、機密情報が話されることがあるので盗聴対策を講じることも求められる。そこで、防音室１０は、電波を検出するセンサーを備えており、防音室１０が設置された時点で検出していた電波と異なる電波を検出した場合に、不審な電波を受信した旨を管理サーバ３に通報してもよい。このようにすることで、防音室１０の管理者が、盗聴用の電子機器が設置されていないかどうかを確認することができるので、盗聴行為を防ぐことができる。
【００８７】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００８８】
１  防音室
２  外部機器
３  管理サーバ
４  情報端末
１１  筐体
１２  扉
２１  ＣＰＵ
２２  記憶部
２３  検出部
３１  錠
３２  電源部
３４  扉ガラス
３５  表示部
３６  警報部
３７  カード読取部
３８  操作受付部
３９  通信部
４０  音減衰部
４１  ＱＲコード
２３１  臭いセンサー
２３２  人感センサー
２３３  重量センサー
３２１  電源プラグ
４００  音減衰部材
４０１  外側反射部
４０２  直進部
４０３  内側反射部
【図１】
2020204253.tif 000003
【図２】
2020204253.tif 000004
【図３】
2020204253.tif 000005
【図４】
2020204253.tif 000006
【図５】
2020204253.tif 000007
【図６】
2020204253.tif 000008
【図７】
2020204253.tif 000009
【図８】
2020204253.tif 000010
【図９】
2020204253.tif 000011
【図１０】
2020204253.tif 000012